(57)【要約】【課題】  本発明は、ビデオテープレコーダ及び記録方法に関し、特にＨＤＴＶ（High Definition TeleVision）によるビデオ信号を磁気テープに記録するビデオテープレコーダに適用して、全体を効率良く構成することができるようにする。【解決手段】  本発明は、検索用データについては、デコード時におけるビデオデータの時刻管理情報を基準にして、表示用データについては、ビデオデータの再生出力の時刻管理情報を基準にして記録する。【選択図】        図３３  
2006014358.tif 000002
【特許請求の範囲】
【請求項１】
磁気テープに順次斜めに記録トラックを形成し、データ圧縮したビデオデータを前記磁気テープに記録するビデオテープレコーダにおいて、
前記ビデオデータにおけるフレーム内符号化処理によるピクチャーのデータより、サーチ用データを生成するサーチ用データ生成手段と、
前記サーチ用データに関連するサーチ用の補助データを生成する補助データ生成手段と、
前記サーチ用データを前記補助データと組み合わせて、前記ビデオデータと共に前記磁気テープに記録する記録系とを備え、
前記補助データのうち、
前記磁気テープに記録された前記ビデオデータの検索用データについては、デコード時における前記ビデオデータの時刻管理情報を基準にして記録し、
前記サーチ用データによる画像と共に表示する表示用データについては、前記ビデオデータの再生出力の時刻管理情報を基準にして記録する
ことを特徴とするビデオテープレコーダ。
【請求項２】
前記検索用データが、
対応する前記ビデオデータの記録位置を示すテープ位置情報である
ことを特徴とする請求項１に記載のビデオテープレコーダ。
【請求項３】
前記検索用データが、
対応する前記ビデオデータの再生基準の管理情報である
ことを特徴とする請求項１に記載のビデオテープレコーダ。
【請求項４】
前記表示用データが、
対応する前記ビデオデータの時間情報である
ことを特徴とする請求項１に記載のビデオテープレコーダ。
【請求項５】
磁気テープに順次斜めに記録トラックを形成し、データ圧縮したビデオデータを前記磁気テープに記録する記録方法において、
前記ビデオデータにおけるフレーム内符号化処理によるピクチャーのデータより、サーチ用データを生成するサーチ用データ生成ステップと、
前記サーチ用データに関連するサーチ用の補助データを生成する補助データ生成ステップと、
前記サーチ用データを前記補助データと組み合わせて、前記ビデオデータと共に前記磁気テープに記録するステップとを備え、
前記補助データのうち、前記磁気テープに記録された前記ビデオデータの検索用データについては、デコード時における前記ビデオデータの時刻管理情報を基準にして記録し、
前記サーチ用データによる画像と共に表示する表示用データについては、前記ビデオデータの再生出力の時刻管理情報を基準にして記録する
ことを特徴とする記録方法。
【発明の詳細な説明】
【技術分野】
【０００１】
本発明は、ビデオテープレコーダ及び記録方法に関し、特にＨＤＴＶ（High Definition TeleVision）によるビデオ信号を磁気テープに記録するビデオテープレコーダに適用することができる。本発明は、検索用データについては、デコード時におけるビデオデータの時刻管理情報を基準にして、表示用データについては、ビデオデータの再生出力の時刻管理情報を基準にして記録することにより、全体を効率良く構成することができるようにする。
【背景技術】
【０００２】
従来、例えば特開２００１−２９１３３５号公報等においては、ＨＤＴＶのビデオ信号（以下、ＨＤ信号と呼ぶ）を記録再生するビデオテープレコーダが提案されるようになされている。
【０００３】
この特開２００１−２９１３３５号公報においては、Ｐピクチャーの配置周期を単位にして、ＨＤ信号に関連する各種の信号を、インターリーブする複数トラックの先頭領域にまとめて記録することにより、磁気テープを有効に利用してＨＤ信号を記録するようにしたビデオテープレコーダが開示されるようになされている。
【０００４】
しかしながらこの種のＨＤ信号を記録するビデオテープレコーダにおいては、実用化のために、さらに一段と種々の工夫が必要であると考えられる。具体的には、記録再生系を一段と効率良く構成することができれば、その分、全体構成を簡略化し、さらには種々の処理を簡略化することができると考えられる。
【特許文献１】特開２００１−２９１３３５号公報
【発明の開示】
【発明が解決しようとする課題】
【０００５】
本発明は以上の点を考慮してなされたもので、全体を効率良く構成することができるビデオテープレコーダ及び記録方法を提案しようとするものである。
【課題を解決するための手段】
【０００６】
かかる課題を解決するため請求項１の発明は、ビデオテープレコーダに適用して、磁気テープに記録されたビデオデータの検索用データについては、デコード時におけるビデオデータの時刻管理情報を基準にして記録し、サーチ用データによる画像と共に表示する表示用データについては、ビデオデータの再生出力の時刻管理情報を基準にして記録する。
【０００７】
また請求項５の発明においては、記録方法に適用して、磁気テープに記録されたビデオデータの検索用データについては、デコード時におけるビデオデータの時刻管理情報を基準にして記録し、サーチ用データによる画像と共に表示する表示用データについては、ビデオデータの再生出力の時刻管理情報を基準にして記録する。
【０００８】
請求項１の構成によれば、ビデオテープレコーダに適用して、磁気テープに記録されたビデオデータの検索用データについては、デコード時におけるビデオデータの時刻管理情報を基準にして記録し、サーチ用データによる画像と共に表示する表示用データについては、ビデオデータの再生出力の時刻管理情報を基準にして記録することにより、再生時においては、順次再生される表示用データを順次表示するだけで、時系列により所望するシーンを簡易に選択することができ、またこのようにしてシーンを検出して対応する検索用データにより簡易に頭出しすることができ、これにより再生側の構成を簡略化することができ、これにより全体を効率良く構成することができる。
【０００９】
これにより請求項５の構成によれば、全体を効率良く構成することができる記録方法を提供することができる。
【発明の効果】
【００１０】
本発明によれば、検索用データについては、デコード時におけるビデオデータの時刻管理情報を基準にして、表示用データについては、ビデオデータの再生出力の時刻管理情報を基準にして記録することにより、全体を効率良く構成することができる。
【発明を実施するための最良の形態】
【００１１】
以下、適宜図面を参照しながら本発明の実施例を詳述する。
【実施例１】
【００１２】
（１）第１の実施例の構成
（１−１）記録フォーマット
図１は、本発明の実施例に係るビデオテープレコーダによる磁気テープ上の記録フォーマットを示す平面図である。このビデオテープレコーダにおいては、ＤＶ（Digital Video ）方式によるビデオテープレコーダとほぼ同一の磁気テープ走行系を使用するようになされ、これによりＤＶ方式によるビデオテープレコーダをほぼ同一のトラックパターンにより、正及び負のアジマス角による１対の斜めトラック（トラックペアである）が順次磁気テープに形成される。なお図中において、Ｈｅａｄは、磁気ヘッドの走査方向を示し、Ｔａｐｅ  ｔｒａｖｅｌは、磁気テープの走行方向である。記録トラックは、約３００トラック／１秒の速度により順次作成され、磁気テープに対する記録レートは、約４０〔Ｍｂｐｓ〕に設定されるようになされている。
【００１３】
磁気テープは、順次循環的に、何らパイロット信号を記録していない記録トラック、周波数Ｆ０のパイロット信号を記録した記録トラック、周波数Ｆ１のパイロット信号を記録した記録トラックが形成される。これにより磁気テープは、このパイロット信号を基準にしてトラッキング制御できるようになされている。なお周波数Ｆ０及びＦ１は、各記録トラックに記録するデータのチャンネルビットの記録周波数に対して、記録周波数が１／９０及び１／６０となるように設定される。
【００１４】
このビデオテープレコーダでは、このようにして形成したトラック列において、１６トラックがインターリーブの処理単位、誤り訂正処理の単位（ＥＣＣブロック）に設定され、これにより１６トラックに記録するデータを順次１つのブロックにまとめ、各ブロック内でそれぞれインターリーブ、誤り訂正の処理が実行されるようになされている。またこの記録トラックは、各トラックペアに値０〜３１のトラックペア番号が順次循環的に割り当てられ、インターリーブの先頭トラックペアにおいては、このトラックペア番号が値０、７、１５又は値２３に設定されるようになされている。
【００１５】
図２は、このようにして形成される各記録トラックにおけるセクタフォーマットを示す図表である。記録トラックは、磁気ヘッドの走査開始側より、順次、プリアンブル、メインセクタ、サブコードセクタ、ポストアンブル、オーバーライトマージが形成される。記録トラックは、走査開始側より回転ドラムへの磁気テープの巻き付け角度１７４度の範囲が、これらプリアンブル、メインセクタ、サブコードセクタ、ポストアンブルに割り当てられ、この範囲に、後述する２４−２５変換後のデータ量により表して、フィールド周波数が５９．９４〔Ｈｚ〕であるビデオデータを記録する場合（磁気ヘッドに搭載してなる回転ドラムが６０×１０００／１００１〔Ｈｚ〕の回転速度で回転する場合）には、１３４９７５ビットのデータが記録され、またフィールド周波数が５０〔Ｈｚ〕であるビデオデータを記録する場合（回転ドラムが６０〔Ｈｚ〕の回転速度で回転する場合）には、１３４８５０ビットのデータが記録されるようになされている。
【００１６】
ここでプリアンブルは、再生時、ＰＬＬ回路のロックに必要なデータが１８００ビット分、記録されるようになされている。なお図３は、このプリアンブルの記録パターンを示す図表であり、この実施例では、パターンＡと、このパターンＡに対してビットを反転してなるパターンＢとの組み合わせが各記録トラックに割り当てられ、これにより上述したパイロット信号の組み合わせを併せて形成するようになされている。
【００１７】
メインセクタは、通常の再生時又はサーチ時に使用されるビデオデータ等が後述するシンクブロックを単位にして記録するようになされ、全体として１３０４２５ビット分、確保されるようになされている。サブコードセクタは、高速サーチにおける位置検索等に供するデータであるサブコードの記録に適用され、１２５０ビット分の領域が確保されるようになされている。ポストアンブルは、回転ドラムが６０×１０００／１００１〔Ｈｚ〕の回転速度で回転する場合（フィールド周波数５９．９４〔Ｈｚ〕の場合）には、１５００ビット分の領域が確保され、また回転ドラムが６０〔Ｈｚ〕の回転速度で回転する場合（フィールド周波数５０〔Ｈｚ〕の場合）には、１３７５ビット分の領域が確保され、プリアンブルと同一に構成されるようになされている。
【００１８】
オーバーライトマージは、上書き時におけるマージンの確保のために設けられ、１２５０ビット分の領域が確保されるようになされている。
【００１９】
図４は、メインセクタの基本構造を示す図表である。なお図４は、２４−２５変調前のデータ量によるものである。ここでメインセクタは、それぞれ８８８ビット（１１１バイト）による１４１個のシンクブロックにより構成され、各シンクブロックには、先頭に、１６ビットのシンク、２４ビットのＩＤが割り当てられ、末尾の８０ビットに、積符号形式による誤り訂正符号の内符号であるＣ１符号が割り当てられるようになされている。またメインセクタは、１４１個のシンクブロックのうち１２３のシンクブロックにおいては、残る７６８ビットに、８ビットのヘッダ（シンクブロックヘッダ）と７６０ビットのメインデータとが割り当てられるのに対し、残る１８個のシンクブロックには、積符号形式による誤り訂正符号の外符号であるＣ２符号が割り当てられるようになされている。
【００２０】
ここでシンクは、各シンクブロックの先頭を検出するために設けられ、図５に示すパターンＭ０と、このパターンＭ０に対してビットを反転してなるパターンＭ１とが交互に割り当てられるようになされている。
【００２１】
これに対してＩＤは、誤り訂正の補助データとしてシンクブロックの識別等のために設けられ、図６に示す３種類のＩＤ０〜ＩＤ２によりそれぞれ形成される。すなわちＩＤは、先頭０〜７ビットが第１のＩＤ０に設定され、この第１のＩＤ０の先頭０〜４ビットによりトラックペア番号（Track Pair Number ）が表されるようになされている。
【００２２】
またＩＤは、第１のＩＤ０の先頭５〜７ビットにより図２について上述したトラックのフォーマットが記録されるようになされている。これによりこの第１のＩＤは、トラックに係る識別情報が割り当てられるようになされている。
【００２３】
これに対して第２のＩＤ１は、シンクブロックの位置を識別するシンクブロック番号が割り当てられるようになされている。
【００２４】
また第３のＩＤ２には、メインセクタが新規に作成されたものか、編集等による上書きに係る前データの消し残りのものかを識別する情報がオーバーライトプロテクトとして割り当てられるようになされている。これによりこのビデオテープレコーダでは、上書き記録時、ヘッドクロック等により元のデータを完全に除去できなかった場合に、Ｃ２符号のみによりイレージャー訂正し、誤ってこの元のデータ側を再生しないようになされている。
【００２５】
図７は、シンクブロックヘッダを示す図表である。シンクブロックヘッダは、ｂ７〜ｂ５ビットによりメインデータの種類であるデータタイプが示され、ｂ４〜ｂ０ビットによる各データタイプにおける詳細な情報が示される。すなわちメインデータに何ら意味の無いデータであるＮＵＬＬデータが割り当てられて空きシンクブロックが形成されている場合、ｂ７〜ｂ５ビットは値０に設定され、ｂ４〜ｂ０ビットは、リザーブに割り当てられる。
【００２６】
またメインデータにビデオデータ、オーディオデータの補助データ（ＡＵＸ）が割り当てられている場合、ｂ７〜ｂ５ビットは値１に設定される。またこの場合、ｂ４〜ｂ２ビットにこの補助データのモード（ＡＵＸ  ｍｏｄｅ）が割り当てられる。なおここで補助データがＰＥＳ（ Packetized Elementary Stream ）ビデオデータに関する補助データの場合（AUX-V ）、ｂ４〜ｂ２ビットが値０に設定され、補助データがＰＥＳオーディオデータに関する補助データの場合（AUX-A ）、ｂ４〜ｂ２ビットが値１に設定される。なおＰＥＳビデオデータ及びＰＥＳオーディオデータは、この実施例に係るビデオテープレコーダが主に記録再生するビデオデータ及びオーディオデータであり、ＭＰＥＧ２−ＰＥＳフォーマットに準拠したビデオデータ及びオーディオデータである。
【００２７】
また補助データがＭＰＥＧ２−ＰＥＳのＰＳＩ（Program Specific Information）パケットの前半部分である場合（PES-PSI1）、ｂ４〜ｂ２ビットが値２に設定され、またこのＰＳＩパケットの後半部分のＰＳＩである場合（PES-PSI2）、ｂ４〜ｂ２ビットは値３に設定される。また補助データが、後述するＥＣＣＴＢパケットのデータである場合、ｂ４〜ｂ２ビットは値４に設定され、補助データに大容量メタデータが割り当てられている場合（AUX-M ）には、ｂ４〜ｂ２ビットは値５に設定される。なおｂ４〜ｂ２ビットの値６及び７はリザーブである。なおここでシステムデータは、映像、音声の付加データとして外部から入力された著作権、撮影状況等のテキスト情報、サーチ、編集等を補助するタイトルタイムコード（TTC ）、トラック位置情報、装置の設定情報等の一連の制御に係るデータである。
【００２８】
またこれらに対応してこの場合、ｂ１ビットには、ＥＣＣＴＢに記録する無効記録領域を表すフラグＤＦ、又はメインデータにおけるフレーム境界の極性反転を示すフラグＦＲＣが割り当てられ、ｂ０ビットには、このシンクブロックヘッダのスクランブル制御のオン状態を示すフラグＳＢＳＣが割り当てられるようになされている。なおｂ１ビットは、ｂ４〜ｂ２ビットが値０又は５の場合、フラグＦＲＣに割り当てられ、ｂ４〜ｂ２ビットが値４の場合、フラグＤＦに割り当てられ、これら以外の場合、リザーブに設定される。
【００２９】
これに対してメインデータが、ＭＰＥＧ２−ＰＥＳのフォーマットに準拠したビデオデータの場合（ＰＥＳ−ＶＩＤＥＯ）、ｂ７〜ｂ５ビットは値２に設定され、このフォーマットによるオーディオデータの場合（ＰＥＳ−ＡＵＤＩＯ）、ｂ７〜ｂ５ビットは値３に設定される。これらの場合、ｂ４ビットにより、データがパーシャル（９５バイト未満）であるか、フル（９５バイト）であるか示され、ｂ３〜ｂ０ビットには、一連のカウント値が割り当てられるようになされている。
【００３０】
これに対してメインデータがトランスポートストリームの形態で記録されているもののうちの前半部分である場合（TS-1H ）、ｂ７〜ｂ５ビットは値４に設定され、ｂ４、ｂ３ビットにジャンプフラグが配置され、ｂ２〜ｂ０にタイムスタンプが配置される。またメインデータがトランスポートストリームの形態で記録されているもののうちの後半部分である場合（TS-2H ）、ｂ７〜ｂ５ビットは値５に設定され、ｂ４〜ｂ０ビットに一連のカウント値がセットされる。
【００３１】
またメインデータが、サーチ用データ（SEARCH）の場合、ｂ７〜ｂ５ビットは値６に設定され、ｂ４はリザーブに設定される。またｂ３〜ｂ１ビットには、対応するサーチ速度が記録され、ｂ０ビットにスクランブル制御のオン状態を示すフラグＳＢＳＣが割り当てられる。なおサーチ用データは、Ｉピクチャーの低域成分によるデータであり、ｂ３〜ｂ１ビットが値２及び４のとき、それぞれ８倍及び２４倍のサーチ速度を指示するようになされている。なおｂ３〜ｂ１ビットの値７は、リザーブに割り当てられる。
【００３２】
図８は、このようにして形成されるメインセクタのデータ構造における平均的な論理データ配分を示す図である。ここでＣ２符号は、連続エラー訂正能力を２トラック以上（＝１２．５％（＝２トラック／１６トラックＥＣＣ(Error Correcting Code) インターリーブ））となるように、１８個のシンクブロックに割り当てられ、これにより１２．７〔％〕に設定される。補助データ（ＡＵＸ）＋ＮＵＬＬデータは、９５バイト×２．２ＳＢ×３００トラック×８ビット＝５０１〔Ｋｂｐｓ〕、ビデオデータは、９５バイト×１１０ＳＢ×３００トラック×８ビット＝２５．０２１〔Ｍｂｐｓ〕、オーディオデータは、９５バイト×１．８ＳＢ×３００トラック×８ビット＝４２１〔Ｋｂｐｓ〕、サーチデータは、９５バイト×９．１ＳＢ×３００トラック×８ビット＝２．０７〔Ｍｂｐｓ〕であり、総計２８．０４４〔Ｍｂｐｓ〕（９５バイト×１２３ＳＢ×３００トラック×８ビット）に設定される。なお以下において、シンクブロックは、適宜、ＳＢにより示す。
【００３３】
これらにより磁気テープには、順次、ビデオデータ、オーディオデータ、対応するシステムデータ（補助データ）がメインセクタのメインデータに割り当てられて記録されるようになされている。
【００３４】
図９は、補助データをメインデータに割り当てる場合について、シンクブロック構造を示す図表である。各シンクブロックにおいては、補助データのモード（ＡＵＸ  ｍｏｄｅ）が値０（補助データがビデオデータに関する補助データの場合（AUX-V ））、値１（補助データがＰＥＳオーディオデータに関する補助データの場合（AUX-A ））、又は値５の場合（大容量メタデータが割り当てられている場合（AUX-M ））、各シンクブロックにおいては、シンクヘッダに続いて、メインデータエリアの先頭１バイトがサブヘッダに割り当てられる（図９（Ａ）及び（Ｂ））。
【００３５】
ここでサブヘッダは、ｂ７〜ｂ４がリザーブに割り当てられ、ｂ３〜ｂ０が一連のカウント値（CC.Continuitycounter ）に割り当てられる。ここでサブヘッダは、補助データが複数のシンクブロックに跨がって割り当てられた場合に、カウント値（CC.Continuity counter ）によりデータの連続性を検出することを目的として設けられる。これによりこのカウント値は各補助データのモード毎に、それぞれ独立にカウント値を設定することにより、補助データを不規則に複数配置した場合でも、確実に再生できるようになされている。因みに、ＥＣＣＴＢパケットにおいては、システムデータである補助データを記録するものであるものの、規則的に配置され、かつデータに連続性を有することにより、サブヘッダが設けられないようになされている。ここでＥＣＣＴＢパケットは、ＥＣＣブロックの先頭の記録に割り当てられるシンクブロックであり、詳細については後述する。
【００３６】
このようにしてメインセクタに割り当てられるデータのうち、補助データにおいては、図１０及び図１１に示すパケット構造により、図４について上述したメインデータに割り当てられる。
【００３７】
ここで図１０及び図１１は、それぞれ固定長による補助データのパケット構造と可変長による補助データのパケット構造とを示す図表である。固定長によるパケット構造は、メインセクタにも適用されるものの、主にサブコードセクタに適用される。固定長によるパケット構造においては、全体が５バイトにより形成され、先頭１バイトのｂ７及びｂ６ビットが値０に設定され、ｂ５〜ｂ０ビットに、各補助データの内容を示すキーワード番号（keyword Number）が割り当てられ、残り４バイトが補助データに割り当てられる。
【００３８】
これに対して可変長のパケット構造は、先頭１バイトのｂ７及びｂ８ビットがそれぞれ値０及び値１に設定され、ｂ５〜ｂ０バイトに、各補助データの内容を示すキーワード番号（keyword Number）が割り当てられる。また続く１バイトに、続く補助データのバイト数ｎが記録され、これによりパケット長を検出できるようになされ、続いてこのｎバイトの補助データが割り当てられるようになされている。
【００３９】
図１２は、この固定長によるパケット構造におけるキーワード番号を示す図表である。キーワード番号は、固定長によるパケット構造と可変長によるパケット構造とで一連の番号が割り当てられ、固定長によるパケット構造には、値０〜値６３が割り当てられる。これらのうち値０〜値７は、サブコードセクタに適用され、値０は、続く４バイトがタイトルタイムコード（ＴＴＣ（ビデオデータ、オーディオデータの時間情報である））であることを示すようになされている。またキーワード番号の値１は、続く４バイトがバイナリーグループによるデータであることを示し、キーワード番号の値２は、続く４バイトがパート番号であることを示すようになされている。
【００４０】
これに対してキーワード番号の値４は、続く４バイトがテープ位置情報（ATNF）、所定のフラグ（FLG ）であることを示すようになされている。ここでテープ位置情報は、２３ビットの絶対位置情報であり、テープ先頭からカウントした各記録トラックまでのトラック番号（ＡＴＮ：Absolute Track Number ）により表される。またフラグ（FLG ）は、テープ位置情報が連続していないときに値１にセットされ、これによりトラック列の連続性を判断して確実にサーチできるようになされている。値５及び値６は、続く４バイトがそれぞれ記録日時、記録時間であることが示され、値７は、続く４バイトが拡張トラック番号（ＥＴＮ：ExtenedTrack Number）であることを示すようになされている。
【００４１】
ここで拡張トラック番号ＥＴＮは、磁気テープからビデオデータを再生する再生基準の管理情報であり、デコード時におけるビデオデータの時刻管理情報ＤＴＳ（Decoding Time Stamp ）に対して比例関係となるように、またこのデコード時における動作基準であり、さらにはこのビデオテープレコーダ１の動作基準であるシステムタイムクロックＳＴＣ（System Time Clock ）に対して比例関係となるように、以下の関係式により、時刻管理情報ＤＴＳをトラック番号により表した値が適用される。拡張トラック番号（ＥＴＮ）は、２４ビットにより表され、ｂ４〜ｂ０ビットの内容が、ＥＣＣ内のトラック番号となり、ｂ５〜ｂ１ビットの内容が、トラックペア番号（Track Pair Number ）と一致するようになされている。なおここでＥＣＣ内のトラック番号は、ＥＣＣ先頭トラックに値０を設定してなる番号である。なおこのデコード時における時刻管理情報ＤＴＳは、周波数９０〔ｋＨｚ〕によるカウント値であり、デコードされてデータ伸長したビデオデータの出力基準である。
【００４２】
またタイトルタイムコード（ＴＴＣ）との間では、フィールド周波数５９．９４〔Ｈｚ〕のシステムに適用した場合、ＴＴＣが１０トラックの周期で繰り返し割り当てられ、ＴＴＣの書き始めにおいて、ＥＴＮが１０の整数倍により表されるようになされている。またフィールド周波数５０〔Ｈｚ〕のシステムに適用した場合、ＴＴＣが１２トラックの周期で繰り返し割り当てられ、ＴＴＣの書き始めにおいて、ＥＴＮが１２の整数倍により表されるようになされている。
【００４３】
これにより拡張トラック番号は、この実施例においては、フィールド周波数５９．９４〔Ｈｚ〕のシステムに適用した場合、ＤＴＳ＝ＥＦＮ×３００３＝ＥＴＮ×３００３／１０により表され、またフィールド周波数５０〔Ｈｚ〕のシステムに適用した場合、ＤＴＳ＝ＥＦＮ×３６００＝ＥＴＮ×３６００／１２により表されるようになされている。なおＥＦＮは、Extended Frame Number であり、拡張トラック番号ＥＴＮに対応するフレーム番号である。なお第１のＩＤにおいて、値８〜値６２はリザーブに割り当てられ、値６３は、続く４バイトがＮＵＬＬであることを示すようになされている。
【００４４】
これに対して図１３は、可変長によるパケット構造におけるキーワード番号を示す図表である。可変長によるパケット構造には、値６４〜値１２７が割り当てられる。これらのキーワード番号のうち、値６４〜値６７は、オーディオデータの補助データに割り当てられ、値６４において、続く可変長のデータにオーディオデータの補助データが割り当てられていることを示すようになされている。なお残り値６５〜値６７は、リザーブに割り当てられる。
【００４５】
これに対して値６８〜値７９は、ビデオデータの補助データに割り当てられ、値６８においては、続く可変長のデータにビデオデータの補助データが割り当てられていることを示すようになされ、また値７３は、続く可変長のデータがＤＶ方式と互換性のあるデータであることを示すようになされている。また値７７及び値７８は、それぞれ続く可変長のデータがアスキーコード及びシフトＪＩＳコードによるメッセージのデータであることを示すようになされ、値７９は、続く可変長のデータがバイナリーデータであることを示すようになされている。
【００４６】
これに対して値８０〜８３は、システム用に割り当てられ、値８０は、続く可変長データによりＥＣＣＴＢパケットが形成されることを示すようになされている。また値８４〜値１１９は、リザーブであり、値１２０〜値１２６は、続く可変長データが大容量のメタデータであることを示すようになされている。また値１２７は、続く可変長データがＮＵＬＬであり、全体としてＮＵＬＬパケットを形成することが示されるようになされている。
【００４７】
図１４は、このようなキーワード番号の設定のうち、キーワード番号を値６４に設定してなるオーディオフレームパケットを示す図表である。オーディオフレームパケットは、図１１のパケット構造について上述したように、先頭１バイトが値６４のキーワード番号に設定され、続く１バイトに続くバイト数ｎ（＝９２）が割り当てられる。さらに続いてトランスポートストリームを出力するための動作モードが設定され、続く５バイト、３バイト、５バイトには、対応するビデオフレームと同一内容によるＶＴＲモード、テープ位置情報（ATNF）及び各種のフラグ（ＥＦＬ、ＦＬＧ）、タイトルタイムコードが割り当てられる。これによりパックユニットにおいて、対応するビデオデータのパックペアを簡易に特定できるようになされている。ここでパックユニットは、対応するビデオデータ、オーディオデータ、システムデータの組み合わせを意味する。なおこの各種のフラグ（ＥＦＬ、ＦＬＧ）については、後述するサブコードの対応するパケットの説明において詳述する。
【００４８】
また続く１０バイトにオリジナルの記録日時、時間の情報が、続く８バイトに磁気テープへの記録日時、時間の情報が割り当てられ、続く１バイトにコピー世代を示す情報が割り当てられる。また続く２バイトに編集点に係るステータスの情報（編集情報）が各１バイトづつ割り当てられ、続く６バイトにオーディオのモードが割り当てられる。ここでオーディオのモードは、フレームサイズ、サンプリング周波数等である。また続く４バイトはリザーブに割り当てられ、続く１１バイトにパックユニットに係る情報が割り当てられるようになされている。ここでこのパックユニットに係る情報においては、デコード基準の情報であり、フレーム番号、フレーム数、ＰＴＳ（Presentation Time Stamp ）である。なおここでＰＴＳは、デコードによりデータ伸長したビデオデータ、オーディオデータの再生出力の時刻管理情報である。
【００４９】
これに対して図１５は、このようなキーワード番号の設定のうち、キーワード番号を値６８に設定してなるビデオフレームパケットを示す図表である。ビデオフレームパケットは、図１１のパケット構造について上述したように、先頭１バイトが値６８のキーワード番号に設定され、続く１バイトに続くバイト数ｎ（＝９２）が割り当てられる。さらに続いてトランスポートストリームを出力するための動作モードが設定され、続く５バイト、３バイト、５バイトには、対応するオーディオフレームと同一内容によるＶＴＲモード、テープ位置情報（ATNF）及び各種のフラグ（ＥＦＬ、ＦＬＧ）、タイトルタイムコードが割り当てられる。
【００５０】
また続く５バイトにバイナリーのタイムコードが割り当てられ、続く１０バイト及び８バイトにそれぞれオリジナルの記録日時、時間及び磁気テープへの記録日時、時間の情報が割り当てられ、続く１バイトにコピー世代を示す情報が割り当てられる。ビデオフレームパケットは、４バイト目から３９バイト目までに、ＤＴＳによる時刻管理情報が割り当てられるサブコードデータがそのまま割り当てられ、対応するビデオデータがＢピクチャー、Ｃピクチャーの場合、これらのデータは、対応するＩピクチャー又はＰピクチャーにそのまま対応するようになされている。
【００５１】
これに対して続く２バイトには、編集点に係るステータスの情報（編集情報）が各１バイトづつ割り当てられ、続く１バイトにはサーチ用データの記録モードが割り当てられる。なおサーチ用データは、図１６に示すように、各サーチ速度に対応して割り当てられるようになされている。また続く１１バイトにパックユニットに係る情報が割り当てられるようになされている。ここではこのパックユニットに係る情報は、ＭＰＥＧビデオストリームヘッダの内容が割り当てられるようになされている。これらのデータのうち、ピクチャーに係る情報ＤＡＴＡ−Ｈには、図１７に示すように、Ｉピクチャー、Ｐピクチャー等を示す情報、記録終りを示す情報（Ｖ−ＥＮＤ）が割り当てられるようになされている。
【００５２】
これに対して続く１６バイトは、ビデオモードの情報が割り当てられ、続く１バイト及び１５バイトにはフレーム単位の付加情報（Extended DV Pack）が割り当てられるようになされている。
【００５３】
図１８は、キーワード番号を値８０に設定してなるＥＣＣＴＢパケットを示す図表である。ＥＣＣＴＢパケットは、インターリーブ単位である１６トラックに記録された情報が割り当てられ、上述したようにインターリーブの先頭、固定位置に記録される。ＥＣＣＴＢパケットは、図１１のパケット構造について上述したように、先頭１バイトが値８０のキーワード番号に設定され、続く１バイトに続くバイト数ｎ（＝９３）が割り当てられる。さらに続く３７バイトに、インターリーブの先頭トラックのサブコードと同一内容による情報が記録される。ここでこの情報は、テープ位置情報（ATNF）及び各種のフラグ（ＥＦＬ、ＦＬＧ）、ＥＴＮ、タイトルタイムコード（ＴＴＣ）、バイナリーグループ、オリジナルの記録日時、時間の情報、磁気テープへの記録日時、時間の情報、コピー世代を示す情報が割り当てられる。
【００５４】
また続く２５バイトにビデオに係る編集の情報が割り当てられ、編集点に係るステータス、サーチデータのモード等が割り当てられた後、ビデオ及びオーディオデータの情報（video mode）（audio mode）が割り当てられるようになされている。
【００５５】
図１９は、メインデータにサーチ用データを割り当てる場合について、サーチデータのシンクブロック構造を示す図表である。この場合、シンクブロックにおいては、先頭にサーチシンクブロックのヘッダが４０ビット割り当てられ、残る７２０ビットにサーチ用のデータが割り当てられる。ここでこのヘッダには、リザーブの１ビットを間に挟んで、シンクブロック内に記録される先頭マクロブロック座標のＸアドレス及びＹアドレスが割り当てられる。続いてパケットＩＤ（ＰＣ  ＩＤ）、パケットヘッダ、パケットデータが割り当てられる。
【００５６】
ここでパケットヘッダは、パケットデータの内容を示すように設定され、図２０に示すように、値２〜値７によりキーワード番号について上述したと同一の各種表示用の情報が示され、また値８〜値１１に検索用の位置情報が示されるようになされている。
【００５７】
図２１は、サブコードセクタの構造を示す図表である。サブコードセクタは、例えば２００倍程度の高速サーチに利用され、２４−２５変換後で、全体が１２５０ビットにより構成され、１０個のサブコードシンクブロックで構成される。各サブコードシンクブロックは、先頭１６ビットがシンクに割り当てられ、続く２４ビットがＩＤに割り当てられる。さらに続く４０ビットがサブコードデータに割り当てられ、残り４０ビットがパリティに割り当てられる。
【００５８】
シンクは、図２２に示すように、メインセクタのシンクＭ０、Ｍ１とは異なる所定のパターンＳ０と、このパターンＳ０に対してビットを反転してなるパターンＳ１とが割り当てられるようになされ、これによりメインセクタとサブコードセクタとを識別できるようになされている。
【００５９】
サブコードセクタのＩＤは、図２３に示すように、第１〜第３のＩＤ０〜ＩＤ２により構成される。第１のＩＤ０は、メインセクタのシンクＩＤと同様に、フォーマットタイプ（F TYPE）及びトラックペア番号をそれぞれ定義するようになされている。また第２のＩＤ１は、サブコードセクタにおける各サブコードシンクブロックの番号（SB number ）とリザーブとに割り当てられ、第３のＩＤ２は、メインセクタのシンクＩＤと同様に、オーバーライトプロテクトが割り当てられる。なおオーバーライトプロテクトの設定により、サブコードセクタに記録されているデータが前の消し残りと判断された場合、そのシンクブロックは無効なものとして処理されるようになされている。
【００６０】
図２４は、各サブコードセクタのサブコードデータの内容を示す図表である。各サブコードセクタは、図１０について上述した固定パケット構造により、この図２４に示す情報が記録される。ここでサブコードデータは、それぞれ偶数番目及び奇数番目のトラックペアで同一のデータが、図１０について上述した固定長データ形式により記録される。但し、サブコードシンクブロック番号０、４、９については、図１０について上述したパケット構造とは異なる構造により形成される。ここで偶数番目及び奇数番目のトラックペアにおけるサブコードシンクブロック番号０、４、９のサブコードには、各種のフラグ、テープ位置情報（ATNF）が割り当てられる。
【００６１】
ここで図２５は、このサブコードシンクブロック番号０、４、９に係るサブコードデータの構造を示す図表である。これらサブコードデータには、先頭１バイトに各種フラグが記録される。ここで図２６は、このフラグの設定を示す図表であり、サーチデータの有無、メインデータとの間の位相差が記録されるようになされている。
【００６２】
これに対して２バイト目、ｂ０ビットには、テープ先頭を基準にしたトラック番号（ＡＴＮ）が不連続であることを示すフラグＢＦ（Blank Flag）が設定される。なおこれによりフラグＢＦは、一旦不連続となった以降の記録では、同一の値に設定される。また３バイト目には、テープ先頭を基準にしたトラック番号（ＡＴＮ）が割り当てられる。なおこのトラック番号（ＡＴＮ）は、ＤＶ方式の場合と同一であり、先頭１ビットが符号に割り当てられる。
【００６３】
最後の１バイトには、図２７に示す各種のフラグが設定される。ここでこれらのフラグは、サーチポイントを示すＩフラグ、静止画の記録開始位置がメインデータの場合に設定されるＰフラグ、メインデータにＩピクチャー又はＰピクチャーが割り当てられていることを示すＰＦフラグ、編集に係るＥＦフラグ等が割り当てられるようになされている。
【００６４】
これに対して偶数番目のトラックペアにおけるサブコードシンクブロック番号１、６のサブコード、奇数番目のトラックペアにおけるサブコードシンクブロック番号５のサブコードには（図２４）、拡張トラック番号（ＥＴＮ：ExtenedTrack Number）が割り当てられる。
【００６５】
図２８は、この拡張トラック番号ＥＴＮを割り当ててなるサブコードを示す図表である。このサブコードにおいては、先頭１バイト、ｂ５〜ｂ０ビットに対応するキーワード番号が割り当てられ、第３バイトに拡張トラック番号ＥＴＮが割り当てられるようになされている。
【００６６】
これに対して偶数番目のトラックペアにおけるサブコードシンクブロック番号２、５、７のサブコード、奇数番目のトラックペアにおけるサブコードシンクブロック番号１、６のサブコードには（図２４）、タイトルタイムコード（ＴＴＣ）が割り当てられる。
【００６７】
図２９は、このタイトルタイムコードを割り当てるサブコードを示す図表である。このサブコードにおいては、先頭１バイト、ｂ５〜ｂ０ビットに対応するキーワード番号が割り当てられ、続くバイトに順次タイムコードの情報が割り当てられるようになされている。
【００６８】
これに対して偶数番目のトラックペアにおけるサブコードシンクブロック番号３、８のサブコードには（図２４）、何ら情報が割り当てられないようになされている。これに対して奇数番目のトラックペアにおけるサブコードシンクブロック番号２、７のサブコードには、記録日時の情報が割り当てられ、また奇数番目のトラックペアにおけるサブコードシンクブロック番号３、８のサブコードには、記録時間の情報が割り当てられるようになされている。
【００６９】
図３０は、このようなメインセクタ、サブコードセクタによる記録に関して、磁気テープ上におけるサーチ用データの配置を示す図表である。サーチ用データの記録位置は、インターリーブ後の物理的な位置で定義される。ここで８倍速用のサーチ用データは、１ＥＣＣバンク（１６トラック）単位に１つの割合で配置される。
【００７０】
具体的に、この８倍速用のサーチ用データは、ＥＣＣ内トラック番号ETN[3:0]＝０及び４の記録トラックに、１７シンクブロック分の同一データ（データ番号17〜33）がそれぞれ２回ずつ繰り返し記録され、またＥＣＣ内トラック番号ETN[3:0]＝２の記録トラックに、残り１７シンクブロックのデータ（データ番号０〜１６）が３回繰り返されて記録され、これらにより１ＥＣＣバンクに３４シンクブロック（データ番号０〜３３）が割り当てられるようになされている。
【００７１】
これに対して２４倍速用のサーチデータは、３ＥＥＣバンク（１６×３＝４８トラック）単位で１つ配置される。記録位置は、サブコードＦＬＥ(Flag Extension)内のSPH(Search Phase）、２ビットの３進カウンタにより示される。この２４倍速用のサーチデータは、ＥＣＣ内トラック番号ETN[3:0]＝１１及び１５の記録トラックに、８シンクブロック分のデータ（データ番号０〜３、８〜１１）がそれぞれ４回、繰り返されて記録され、またＥＣＣ内トラック番号ETN[3:0]＝１３の記録トラックに、４シンクブロック分のデータ（データ番号４〜７）が３回繰り返し記録され、これにより３ＥＣＣブロックに１２シンクブロック分のデータが繰り返し記録されるようになされている。
【００７２】
これらのサーチ用データは、図２０について上述したサブコードにおける表示用ＴＴＣ等により検索されて利用されるようになされている。
【００７３】
図３１は、このようなメインセクタ、サブコードセクタによる記録に関して、磁気テープ上におけるメインデータの記録のイメージを示す図表である。この実施の形態においては、MP@HL 、MP@H-14 等のＭＰＥＧ方式によりデータ圧縮してなるビデオデータ及びオーディオデータを記録するようになされており、このデータ圧縮に係るＧＯＰのＩピクチャー、Ｐピクチャーによりビデオデータを区切ってブロック化し、各ブロックのビデオデータ、対応するオーディオデータ及び補助データを組み合わせてパックユニットが形成される。ここで図３１の例においては、符号Ｉ、Ｐ、ＢによりそれぞれＩピクチャー、Ｐピクチャー、Ｂピクチャーを示し、先頭Ｉピクチャーに続いて、Ｂ、Ｂ、Ｐ、Ｂ、Ｂ、Ｐ……の順でピクチャーが連続する場合であり、Ｉ、Ｂ、Ｂ、Ｐピクチャー比率が４：１：１：２の場合である。なおこの図においては、インターリーブ単位であるＥＣＣ単位について、上下の数字によりＥＣＣブロックの番号を示し、またこの内側の英数字によりＥＣＣ単位内におけるトラック番号を示す。
【００７４】
磁気テープにおいては、各ＥＣＣ単位の先頭トラック、先頭シンクブロックにＥＣＣＴＢパケット（符号Ｈにより示す）により補助データが記録される。また各パックユニットにおいては、オーディオデータに係る補助データ（符号Ｘにより示す）が記録された後、オーディオデータ（符号Ａにより示す）が記録され、続いてビデオデータに係る補助データ（符号Ｕにより示す）が記録される。また続いてストリーミングの順に、各ピクチャーが記録される。因みに、オーディオデータが３８４〔Ｋｂｐｓ〕の場合、オーディオデータは、平均、５０シンクブロック配置される。
【００７５】
また連続するパックユニットは、適切な遅延時間を確保する分、必要に応じてＮＵＬＬデータによるシンクブロック、メインデータを間に挟んで、連続するように記録される。これによりこの実施の形態では、各パックユニットの先頭を、デコード時における時刻管理情報ＤＴＳにより決まる一定位置に記録するようになされている。
【００７６】
具体的に、この実施の形態では、磁気テープ上における対応する時刻管理情報ＤＴＳに対して、デコード時における遅延時間（vbv （Video Buffering Verifier） delay）に所定のトラック分の先行量αを加算したトラック数以上で先行するように、ＮＵＬＬデータの記録により、各パックユニットの先頭を記録する。また各パックユニットの終了位置が、磁気テープ上における対応する時刻管理情報ＤＴＳに対して、必ず先行した位置となるようにする。なおここでは、このαを１６トラックとした。
【００７７】
すなわち図３２に示すように、この実施の形態においては、ベースバンドであるビデオデータ（図３２（Ｂ））がＭＰＥＧ方式によりデータ圧縮され（図３２（Ｃ））、ここでビデオデータのエンコードによる遅延時間（Video ENC delay ）が発生する。なおここでは、連続するピクチャーをＢ、Ｂ、Ｉ、Ｂ、Ｂ、Ｐピクチャーにより符号化処理する場合である。これに対して対応するオーディオデータＡ１〜Ａ４（図３２（Ｆ））においても、データ圧縮処理され（図３２（Ｅ））、ここでオーディオデータのエンコードによる遅延時間（Audio ENC delay ）が発生する。なおここでＡ１〜Ａ４は、オーディオデータのデータ圧縮単位である長さ２４〔ｍｓｅｃ〕の各フレームを示すものである。またＡＸＡ及びＡＸＶは、それぞれオーディオデータ及びビデオデータの補助データである。
【００７８】
これらデータ圧縮されたビデオデータ及びオーディオデータは、対応する補助データと共にパックユニットを形成し、このパックユニットが時分割多重化処理され（図３２（Ｄ））、磁気テープに記録される（図３２（Ａ））。この磁気テープへの記録時、これらオーディオデータＡ１〜Ａ４においては、Ｉピクチャーと共にパックユニットを形成する末尾のオーディオデータＡ４における遅延時間が磁気テープ上における最も短い遅延時間となり、このＩピクチャーによるパックユニットに続くパックユニットの先頭側に配置されるオーディオデータＡ１の遅延時間が磁気テープ上における最も長い遅延時間となる。これによりデコード時における遅延時間（vbv （Video Buffering Verifier） delay）においては、データ圧縮時における発生符号量、各種補助データ、サーチ用データの介挿等により種々に変化することが判る。
【００７９】
これに対して図３３は、各パックユニットにおけるパッキングの関係を示す図表である。この例は、ベースバンド入力のビデオデータにおける先頭Ｉピクチャーから記録した例であり（図３３（Ａ））、このベースバンド入力においては、Ｉ、Ｂ、Ｂピクチャー、対応するオーディオデータ、補助データによりパックユニットＰ１が形成され、この補助データとしてオーディオデータ及びビデオデータの補助データＡＵＸ−Ａ及びＡＵＸ−Ｖ等が得られ、またタイトルタイムコードＴＴＣ等が生成されて補助データに割り当てられることになる。
【００８０】
なおここでＣ０及びＣ１によるパックユニットＥＰ１は、編集点のパックユニットEDIT PACK であり、編集で必要な遅延時間 vbv delayの整合のために挿入されるものである。なお図３４は、これらパックユニットに係る一連のデータの関係をまとめたものである。
【００８１】
矢印により関連を示すように（図３３（Ａ））、この実施の形態ではこれらのベースバンド入力に係る一連のデータが多重化処理され（図３３（Ｂ））、各パックユニットがメインデータにより磁気テープに記録され、対応する補助データがサブコードデータにより磁気テープに記録される（図３３（Ｃ））。このときメインデータによるストリームは、サブコードの時刻管理情報ＤＴＳに対して先行した位置に記録され、サブコードは、対応する時刻管理情報ＤＴＳによる位置に記録される。またサーチ用データは、対応するＩピクチャー、対応する時刻管理情報ＤＴＳ以降のＥＣＣバンクから記録される。なおここでビデオデータは、エンコード時、リオーダリングにより順序が入れ換えらえるが、オーディオデータ及び補助データは、入力順に磁気テープに記録される。
【００８２】
ここでＩピクチャーの先頭の拡張トラック番号ＥＴＮは、１２０とされる。これは、ストリーム先頭で正の値とするためであり、トラック番号（ＡＴＮ）も同じである。因みに、拡張トラック番号ＥＴＮ、トラック番号（ＡＴＮ）を値０から始めて記録を開始すると、デコード時における遅延時間（vbv （Video Buffering Verifier） delay）とＥＣＣブロック分の時間とを加算した時間による磁気テープ上における時刻管理情報ＤＴＳは、３０トラック〜１１０トラックとなる。しかしながらセルフエンコードの場合において、フィールド周波数が５９．９４〔Ｈｚ〕のシステムとフィールド周波数が５０〔Ｈｚ〕のシステムとで拡張トラック番号ＥＴＮ、トラック番号（ＡＴＮ）とを共通化することを考慮し、これによりこれらのシステムにおけるフレームとトラックの最小公倍数が同一である値１２０を拡張トラック番号ＥＴＮ、トラック番号（ＡＴＮ）の先頭値に設定した。
【００８３】
この実施例ではこのようにして磁気テープに記録してなるサブコードセクタの各補助データを基準にしてビデオデータ及びオーディオデータが再生されて復号される（図３３（Ｄ））。またサーチ用データにおいては（図３３（Ｅ））、対応するビデオデータのＩピクチャーより生成されて、上述したように、対応するＩピクチャー、対応する時刻管理情報ＤＴＳ以降のＥＣＣバンクから記録される。
【００８４】
これにより磁気テープ上において、メインデータとサブコードデータとは、図３５に示す関係により表される。なおこの図３５は、サブコードと対応するパックユニット先頭の記録位置相関を、パックユニット先頭のフレームに着目して図示したものである。因みに、フィールド周波数が５９．９４〔Ｈｚ〕のシステムの場合、サブコードは、１フレーム１０トラック単位で構成され、フレーム内１０トラックのサブコードデータは、図２４について上述した構成により同一内容が繰り返し記録される。
【００８５】
ここでメインデータは、磁気テープ上のＤＴＳであるサブコードの拡張トラック番号ＥＴＮに対して、デコード時における遅延時間（vbv  delay）と所定トラック分の先行量を加算した時間の分だけ先行して、かつパックユニットの末尾が時刻管理情報ＤＴＳによる位置を越えないように設定されるものの、上述したように、図３５（Ｄ）から（Ｅ）に示すように、パックユニットの記録開始位置の変化が許容される。
【００８６】
ここでこのような開始位置の変化分Ｔ１は、補助データ、サーチ用データの挿入により変化することにより、以下のように見積もることができる。なおこの場合、再生側の処理全体を遅らせることにより、時刻管理情報ＤＴＳによる時刻より後に、各パックユニットのデータをデコード可能とするシステムも考えられるが、この場合、基準の時刻を後に移動させただけであり、サブコードに記録されるデータにも余分な遅延が必要になることから、処理が煩雑になる。
【００８７】
ここでこのような開始位置の変化分Ｔ１に変化を与える要素のうち、サーチ用データの粗密による変化量は、上述したように、８倍速用及び２４倍速用の双方で、最大１．６トラックとなり、また対応するオーディオデータのデータ量は最大で０．７トラックとなる。また補助データにおいては、３トラック／３フレームであり、ＮＵＬＬデータにおいては、パックユニットの記録開始位置をトラック単位で繰り下げた場合に、最大で１．０トラックとなる。これらを合計すると６．３トラックとなる。
【００８８】
従ってこの実施の形態では、この所定トラック分による先行量αを６．３トラック以上に設定し、これによりビデオストリーム、オーディオストリームにおいて、途絶えることなく再生することができるようになされている。なおフォーマット規定は、更に拡張性を考慮し、この先行量αを１６トラックとした。
【００８９】
すなわちこの先行量αを６．３トラック以上の９〜１２トラックに設定した場合、この余分なマージンにより、補助データ（AUX-M ）をまとめて記録することができる。因みに、１０トラック分である１００〔ＫＢ〕程度のデータを間欠的に記録することが可能となる。また８倍速、２４倍速用のサーチ用データの他、４倍速、１６倍速等のサーチ用データを追加記録することが可能となる。因みに、このようにサーチ用データを追加記録すると、ビデオデータにおいては、その分、レートが低下することになる。また記録再生で、処理用のメモリを兼用するシステムにおいては、再生時、数フレーム分の余裕が発生し、これによりこの余裕を各種の処理に利用することができる。すなわち記録側においては、最大で４トラック先行するようにすれば、再生側においては、前述したような拡張されたフォーマットまで対応可能に、１６トラック分のメモリ容量を確保することができ、この場合は、別途、システムを構成する場合に比して、メモリを約１フレーム分節約することができる。
【００９０】
なおこの図３５（Ａ）、（Ｂ）及び（Ｃ）は、それぞれメインデータ、サブコードデータ、サーチ用データを示すものであり、また（Ｄ）及び（Ｅ）は、それぞれ最先行での記録及び最遅延での記録の例である。この図３５においては、１秒を３００トラックとして遅延時間（vbv  delay）によるトラック数を表した。これらによりこの実施の形態においては、パックユニットの末尾はもとより、Ｉピクチャーの末尾においても、対応するＤＴＳ位置までの間に、期間Ｔ２の余裕を有するようになされている。
【００９１】
ここでこのようなパックユニット先頭の設定に係る処理は、図３１との対比により図３６において符号Ａにより示すように、デコード時における遅延時間（vbv delay ）がトラック数に換算して６２．７トラックである場合、少数点以下を切り捨てた６２トラックにインターリーブのトラック数１６を加算すると、７８トラックのトラック数が得られる。これによりこの時刻管理情報ＤＴＳによる磁気テープ上の位置である拡張トラック番号ＥＴＮが値８０の場合には、この拡張トラック番号ＥＴＮの位置から７８トラック先行した位置である拡張トラック番号ＥＴＮが値２の位置から、対応するパックユニットを記録するようにＮＵＬＬデータを割り当てる。なおこの図３６においては、１フレームの期間に対応するトラック数が１０トラックの場合であり、ＥＣＣＴＢパケットについては、記載を省略して示す。
【００９２】
また符号Ｂにより示すパックユニットの先頭においては、デコード時における遅延時間（vbv delay ）がトラック数に換算して５０．４トラックの場合であり、この場合、同様にして得られるトラック数においては、値６６である。また符号Ａで示した場合より、トラック数においては、３０トラック変化し、これによりＥＴＮは１１０となる。これによりＥＴＮ＝１１０より値６６を減算して得られるＥＴＮ＝４４の位置から、対応するパックユニットを記録するようにＮＵＬＬデータを割り当てる。
【００９３】
また符号Ｃにより示すパックユニットの先頭においては、デコード時における遅延時間（vbv delay ）がトラック数に換算して５７トラックの場合であり、この場合、同様にして得られるトラック数においては、値７３であり、またＥＴＮは１４０であることにより、ＥＴＮ＝１４０より値７３を減算すると、ＥＴＮ＝６７が得られる。この場合、何らＮＵＬＬデータを介挿しなくても、ＥＴＮ＝６８となっており、記録開始位置を通過していることにより、この場合は、ＮＵＬＬデータを割り当てることなく、パックユニットを記録する。
【００９４】
なおこのように連続するパックユニットが最先行記録開始位置より遅くなり、ＮＵＬＬを挿入する必要がなくなる理由としては、パックユニットを構成する３ピクチャーにおいて、データ圧縮による発生符号量が少ないことと、そのパックユニットのＡＵＸデータ量が大きかった場合又はＮＵＬＬデータの挿入により遅れ（最大１トラック）があった場合又はその間にサーチデータが記録された場合等複数の要因が重なった場合等である。
（１−２）ビデオテープレコーダ
図３７は、本発明の実施の形態に係るビデオテープレコーダの記録系を示すブロック図であり、図３８は、この記録系の一部を詳細に示すブロック図である。このビデオテープレコーダ１においては、図１〜図３６について上述したフォーマットによりＭＰＥＧ方式、ＭＰ＠ＨＬ、ＭＰ＠１４等によりビデオデータ及びオーディオデータをデータ圧縮して磁気テープ２に記録し、また再生してデコードする。
【００９５】
すなわちこのビデオテープレコーダにおいて、映像データ圧縮部３は、制御部８によるレート制御により、順次入力されるビデオデータＨＤＶをＭＰＥＧ２（ＭＰ＠Ｈ−１４）に準拠した方式によりデータ圧縮し、各種時間情報等と共に出力する。すなわち映像データ圧縮部３は、ビデオエンコーダ３Ａ、ＤＴＳ／ＰＴＳジェネレータ（ＤＴＳ／ＰＴＳ  ＧＥＮ）３Ｂ、ＥＴＮジェネレータ（ＥＴＮＧＥＮ）３Ｃ、ビデオＦＩＦＯ３Ｄ（図３８）により構成される。このうちビデオエンコーダ３Ａは、ビデオデータＨＤＶをデータ圧縮し、ヘッダ、タイムスタンプ等を付加したＰＥＳ信号によるビデオデータを出力する。ＤＴＳ／ＰＴＳジェネレータ３Ｂは、ビデオデータＨＤＶより時間情報を検出し、この時間情報により時刻管理情報ＤＴＳ、ＰＴＳを出力する。ＥＴＮジェネレータ３Ｃは、このＤＴＳ／ＰＴＳジェネレータ３Ｂによる処理結果より上述した関係式により拡張トラック番号ＥＴＮを計算して出力する。またビデオＦＩＦＯ３Ｄは、ビデオエンコーダ３Ａから出力されるビデオデータを一時保持して出力する。なおこの実施の形態においては、１５ピクチャーにより１ＧＯＰを形成し、さらにこのＧＯＰの先頭Ｉピクチャーより３ピクチャー毎にＰピクチャーを設定する。またこのＧＯＰの他のピクチャーについては、Ｂピクチャーを設定する。
【００９６】
サーチデータ発生部４は、このようにしてビデオデータよりＩピクチャーを選択し、このＩピクチャーによる符号化データより低周波成分のデータを選択することにより、サーチ用データを生成して出力する。
【００９７】
音声データ圧縮部５は、ビデオデータＨＤＶに対応するオーディオデータＤＡを入力し、このオーディオデータＤＡをＭＰＥＧ  Ｌａｙｅｒ２に準拠した方式によりデータ圧縮し、２５６〜３８４〔Ｋｂｐｓ〕のレートにより出力する。すなわち音声データ圧縮部５において、オーディオエンコーダ５Ａは、オーディオデータＤＡをデータ圧縮して出力し、オーディオＦＩＦＯ５Ｂは、このオーディオエンコーダ５Ａの出力データを一時保持して出力する。
【００９８】
補助データ発生部６は、補助データを生成して出力する。すなわち補助データ発生部６は、サブコード生成回路６Ａ、ビデオ用の補助データ生成回路６Ｂ、オーディオ用の補助データ生成回路６Ｃにより構成される。これらのうちサブコード生成回路６Ａは、ビデオデータＨＤＶ、オーディオデータＤＡと共に入力される各種の情報より対応する補助データを生成して出力する。これに対してビデオ用の補助データ生成回路６Ｂ、オーディオ用の補助データ生成回路６Ｃは、それぞれビデオエンコーダ３Ａ、オーディオエンコーダ５Ａから出力されるデータ圧縮されてなるビデオデータ、オーディオデータについて、補助データを生成して出力する。またＥＣＣＴＢジェネレータ（ＥＣＣ  ＴＢ  ＧＥＮ）６Ｄは、ＥＣＣＴＢパケットに必要な補助データを生成して出力する。
【００９９】
多重化回路７は、これらデータ圧縮されてなるビデオデータ、オーディオデータ、サーチ用データ、補助データをＮＵＬＬデータと共に多重化して出力する。すなわち多重化回路７において、ＮＵＬＬジェネレータ（ＮＵＬＬ  ＧＥＮ）７Ａは、例えば全ビットが所定の論理値に設定されてなるＮＵＬＬデータを生成して出力し、マルチプレクサ（ＭＵＸ）７Ｂは、このＮＵＬＬデータ、ＦＩＦＯ５Ｂ、６Ｂから出力されるビデオデータ、オーディオデータ、サーチデータ発生部４、補助データ生成回路６Ｃから出力されるサーチ用データ、補助データを、コントローラ７Ｃの制御により、順次多重化して出力する。これによりこのビデオテープレコーダにおいては、シンクブロックを構成するデータ列を生成するようになされている。
【０１００】
この処理においてコントローラ７Ｃは、各パックユニット単位で、補助データ、サーチ用データ等のデータ量を計算し、上述したデコード時における遅延時間（vbv delay ）に応じて、ＮＵＬＬデータを介挿するように、マルチプレクサ７Ｂの動作を制御する。ＥＣＣメモリ７Ｄは、このマルチプレクサ７Ｂの出力データをＥＣＣブロック単位で一時保持し、所定順序により出力する。これによりＥＣＣメモリ７Ｄは、インターリーブの処理を実行する。またこれらの処理において、ＥＣＣＴＢパケット及びサブコードセクタを配置するタイミングで、ＥＣＣＴＢジェネレータ６Ｄの出力データ、ＥＴＮジェネレータ３Ｃ等の出力データを介挿して出力するようになされている。
【０１０１】
サブコード発生部１０は、サブコードセクタにおけるサブコードのデータ列を生成して出力する。誤り符号ＩＤ付加部９は、多重化回路７の出力データ、サブコード発生部１０の出力データに誤り訂正符号、ＩＤ等を付加し、これによりメインセクタ及びサブコードセクタのデータ列を生成する。すなわちサブコード発生部１０においては、上述したＥＴＮジェネレータ３Ｃ、サブコード生成回路６Ａ等により構成され、誤り符号ＩＤ付加部９において、ＩＤ、ＥＣＣ付加回路９Ａは、ＥＣＣメモリ７Ｄの出力データにＩＤ、誤り訂正符号を付加して出力する。ＩＤ、ＥＣＣ付加回路９Ｂは、サブコード生成回路６Ａの出力データにＩＤ、誤り訂正符号を付加して出力する。加算回路９Ｃは、これらＩＤ、ＥＣＣ付加回路９Ａ、９Ｂの出力データを１系統にまとめて、続く２４−２５変換部１１に出力する。
【０１０２】
２４−２５変換部１１は、この誤り訂正符号ＩＤ付加部９の出力データを２４−２５変調して出力する。シンク付加回路１２は、２４−２５変換部１１の出力データにシンクを付加して出力し、変調部、Ｐ／Ｓ変換部１３は、このシンク付加回路１２の出力データＮＲＺＩ（Non Return to Zero Inverted ）変調した後、シリアルデータ列に変換し、このシリアルデータ列により回転ドラムに搭載された磁気ヘッド１４を駆動する。制御部８は、これら各回路ブロックの動作を制御するコントローラである。これらによりビデオテープレコーダ１では、上述したフォーマットにより順次ビデオデータ、オーディオデータ等を磁気テープ２に記録するようになされている。
【０１０３】
図３９は、ビデオテープレコーダ１の再生系を示すブロック図であり、図４０は、この再生系を部分的に詳細に示すブロック図である。この再生系において、ディジタル変換部、Ｓ／Ｐ変換部２１は、磁気ヘッド１４の出力信号を図示しない増幅回路により増幅した後、アナログディジタル変換処理して例えばビタビ復号することにより記録系における変調部、Ｐ／Ｓ変換部１３の入力データを再生する。ディジタル変換部、Ｓ／Ｐ変換部２１は、この再生したデータをパラレルデータに変換して出力する。
【０１０４】
復調部２２は、記録時におけるＮＲＺＩ変調に対応する処理により、ディジタル変換部、Ｓ／Ｐ変換部２１の出力データを復調して出力する。シンク検出部２３は、この復調部２２の出力データより各シンクブロックのシンクを検出し、このシンク検出のタイミングを誤り訂正ＩＤ検出部２４等に通知する。２５−２４変換部２５は、ディジタル変換部、Ｓ／Ｐ変換部２１の出力データを２５−２４変換処理することにより、記録系における２４−２５変換部１１の入力データを再生して出力する。
【０１０５】
誤り訂正ＩＤ検出部２４は、シンク検出部２３によるシンク検出のタイミングを基準にして２４−２５変換部１１の出力データＩＤ以下をＩＤから検出したＳＢ番号、トラック番号によりＥＣＣバンク２４Ａに貼付け誤り訂正２４Ｂにより誤り訂正処理とデインターリーブ処理をして出力する。すなわちＥＣＣバンク２４Ａの構成は入力データを書き込むためのもの、２４ＢでＥＣＣ処理するためのもの、分離回路２７に出力するためのものの３バンク構成を持っている。
【０１０６】
サブコード検出部２６は、サブコードシンクからサブコードをＳＢ検出して誤り訂正を行い出力する。すなわちサブコード検出部２６において、サブコードＥＣＣ２６Ａは、２４−２５変換部１１の出力データよりサブコードセクタのデータを選択的に取得して誤り訂正処理することにより、サブコードのデータを取得して出力し、サブコードＦＩＦＯ２６Ｂは、このサブコードのデータを制御部８である中央処理ユニット（ＣＰＵ）８Ａに出力する。
【０１０７】
分離回路２７は、この誤り訂正ＩＤ検出部２４の出力データをＳＢヘッダにより各処理系に分離して出力する。すなわち分離回路２７において、ＳＢ検出回路２７Ａは、各ＳＢを検出することにより、各シンクブロックのメインデータを検出し、デマルチプレクサ２７Ｂは、このＳＢ検出回路２７Ａの検出結果に基づいて誤り訂正ＩＤ検出部２４の出力データを各処理系に出力する。
【０１０８】
映像データ伸長部２８は、この分離回路２７よりビデオデータを入力し、記録時とは逆に、このビデオデータをデータ伸長して出力する。すなわち映像データ伸長部２８において、ビデオＦＩＦＯ２８Ａは、分離回路２７の出力データを一時保持して出力し、ビデオデコーダ２８Ｂは、このビデオＦＩＦＯ２８Ａの出力データをデータ伸長して出力する。これによりビデオテープレコーダ１では、再生結果であるビデオデータＨＤＶを出力できるようになされている。
【０１０９】
この実施の形態において、このビデオデータを一時保持して出力するビデオＦＩＦＯ２８Ａは、記録系において、各パックユニットの先頭の記録位置が、対応する再生基準の管理情報が記録されてなる記録位置に対して先行させた先行量に対応する容量以上であるように設定される。
【０１１０】
これに対してサーチデータ検出部２９は、分離回路２７よりサーチ用データを入力し、このサーチ用データよりビデオデータを生成して出力する。すなわちサーチデータ検出部２９において、サーチデコーダ２９Ａは、分離回路２７よりサーチ用データを入力し、取得できなかった部分は補間処理が行われ、ビデオデータを生成して出力する。サーチ補助データ検出回路２９Ｂは、このサーチ用データに付加されてなる補助データを取得して中央処理ユニット８Ａに通知する。
【０１１１】
音声データ伸長部３０は、分離回路２７よりオーディオデータを入力し、このオーディオデータをデータ伸長して出力する。すなわち音声データ伸長部３０において、オーディオＦＩＦＯ３０Ａは、分離回路２７より出力されるオーディオデータを一時保持して出力し、オーディオデコーダ３０Ｂは、このオーディオデータをデータ伸長して出力する。これによりこのビデオテープレコーダ１では、再生結果であるオーディオデータＤＡを出力できるようになされている。
【０１１２】
補助データ検出部３１は、分離回路２７より補助データを検出して制御部８に出力する。すなわち補助データ検出部３１において、補助データＦＩＦＯ３１Ａは、分離回路２７より出力される補助データを一時保持して中央処理ユニット８Ａに出力する。また補助データジェネレータＦＩＦＯ３１Ｂは、分離回路２７より出力される補助データを一時保持し、ビデオデータ、オーディオデータ等の出力に対応するフォーマットに変換して中央処理ユニット８Ａに出力する。
【０１１３】
かくするにつき制御部８は、記録系の場合と同様に、再生系についても、これらの回路ブロックを制御する。すなわちこの制御部８において、中央処理ユニット８Ａは、図示しないメモリに記録された処理手順を実行することにより、これら全体の動作を制御する。この処理において、システムタイムクロックＳＴＣジェネレータ８Ｂは、このビデオテープレコーダ１の動作基準であるシステムタイムクロックＳＴＣを生成して出力し、基準ＥＴＮジェネレータ８Ｃは、このシステムタイムクロックＳＴＣより比較基準のＥＴＮを生成して出力する。テープドラムサーボ回路８Ｄは、キャプスタンモータ８Ｆ、ドラムモータ８Ｅを回転駆動し、これにより磁気テープ２を所定速度で走行させると共に、この磁気テープ２を巻き付けてなる回転ドラムを所定速度により回転駆動する。この処理において、テープドラムサーボ回路８Ｄは、基準ＥＴＮジェネレータ８Ｃより得られる比較基準のＥＴＮと、復調部２２の出力データより得られる再生結果によるＥＴＮ（サブコード検出部２６より得られるＥＴＮである）とを比較し、これらが一致するようにキャプスタンモータ８Ｆの回転位相を制御する。これによりビデオテープレコーダ１では、記録時と同一のトラックトレースにより磁気ヘッド１４で磁気テープ２を走査するようになされている。
（１−３）メインデータと補助データとの関係
このようにして磁気テープ２に順次各種メインデータ、対応するサブコードデータを記録するにつき、ビデオテープレコーダ１では、各パックユニットにおいては、ビデオデータＨＤＶ、オーディオデータＤＡ、対応する補助データがパックユニット内で完結するように、メインセクタを構成し、上述したように、各パックユニットの先頭に、順次、オーディオデータＤＡの補助データ、オーディオデータＤＡ、ビデオデータＨＤＶの補助データをまとめて配置する。これによりこのビデオテープレコーダ１においては、再生時、簡易に補助データを検出できるようになされ、さらには各パックユニットの先頭に記録された補助データのみを用いて、１つのパックユニットについては、各種の時間情報等を補間演算処理できるようになされている。
【０１１４】
このようにして記録されるメインセクタの補助データにおいて、デコード時におけるビデオデータの時刻管理情報ＤＴＳに対応する再生基準の管理情報ＥＴＮにおいては（図１４、図１５、図３３）、ベースバンドであるビデオデータＨＤＶのピクチャーの順序で配置される。また同様に、時間情報であるＴＴＣ、ＲＥＣ  ＴＩＭＥ（図１４、図１５、図３３）もビデオデータＨＤＶのピクチャーの順序で配置される。これに対してサブコードセクタの補助データにおいて、再生基準の管理情報であるＥＴＮ、ピクチャータイプの情報は、データ圧縮されてなるビデオデータのピクチャーの順序により配置される。また同様のサブコードセクタの補助データである時間情報ＴＴＣ、ＲＥＣ  ＴＩＭＥについては、メインセクタと同一の順序により記録され、これによりメインセクタの対応する補助データとの間で相関が図れるようになされている。
【０１１５】
これによりビデオテープレコーダ１においては、再生時、順次、メインセクタ、サブコードセクタより再生される補助データを選択的に取得して、デコード、ビデオデータＨＤＶの出力等の処理に供するようになされている。
【０１１６】
これに対してサーチ用データに関する補助データは（図２０）、磁気テープに記録されたビデオデータの検索用データについては、デコード時におけるビデオデータの時刻管理情報ＤＴＳを基準にして記録し、サーチ用データによる画像と共に表示する表示用データについては、ビデオデータＨＤＶの再生出力の時刻管理情報ＰＴＳを基準にして記録する。
【０１１７】
すなわちビデオテープレコーダ１は、このような補助データのうち、検索用データとしては、対応するビデオデータの記録位置を示すテープ位置情報ＡＴＮ、対応するビデオデータの再生基準の管理情報ＥＴＮを、時刻管理情報ＤＴＳ基準で生成する。これに対して表示用データであるＴＴＣ、ＲＥＣ  ＴＩＭＥ等は、再生出力の時刻管理情報ＰＴＳを基準にして生成する。またビデオテープレコーダ１は、サーチ用データによるビデオデータを出力する際に、ユーザーによる指示により、これら表示用データによる各種の情報をオンスクリーン表示するようにビデオデータを処理して出力する。
【０１１８】
これらによりこの実施の形態において、ビデオエンコーダ３Ａ、オーディオエンコーダ５Ａは、ビデオデータ及びオーディオデータをデータ圧縮して圧縮ビデオデータ及び圧縮オーディオデータを生成するデータ圧縮手段を構成するのに対し、マルチプレクサ７Ｂは、圧縮ビデオデータを所定のピクチャー数単位でブロック化し、該ブロックの圧縮ビデオデータと、対応する圧縮オーディオデータと、対応する補助データとの組み合わせによるパックユニットを生成するパックユニット生成手段を構成するようになされている。またマルチプレクサ７Ｂ以降の回路ブロックにおいては、パックユニットによるデータをメインセクタに割り当て、パックユニットの補助データをサブコードセクタに割り当て、メインセクタ及びサブコードセクタによる記録トラックを順次形成する記録系を構成するようになされている。
【０１１９】
またサーチデータ発生部４は、ビデオデータにおけるフレーム内符号化処理によるピクチャーのデータより、サーチ用データを生成するサーチ用データ生成手段を構成し、またＥＴＮジェネレータ３Ｃ等と共に、サーチ用データに関連するサーチ用の補助データを生成する補助データ生成手段を構成するようになされている。
（２）実施の形態の動作
以上の構成において、このビデオテープレコーダ１では（図３７及び図３８）、記録時、ビデオデータＨＤＶ、オーディオデータＤＡがそれぞれ映像データ圧縮部３を構成するビデオエンコーダ３Ａ、音声データ圧縮部５を構成するオーディオエンコーダ５ＡでＭＰＥＧ方式によりデータ圧縮され、ＰＥＳトランスポートストリームによるビデオデータ及びオーディオデータが生成される。またサーチデータ発生部４であるサーチジェネレータ４において、このようにしてデータ圧縮してなるビデオデータのＩピクチャーのデータより低周波数成分のデータが選択されて８倍速及び２４倍速のサーチ用データが生成される。またビデオデータの各ピクチャーの情報、ビデオデータと共に入力された補助データ等によりサブコード生成用の補助データが補助データ発生部６で作成される。
【０１２０】
この補助データを作成する際に、ビデオテープレコーダ１では、ＤＴＳ／ＰＴＳジェネレータ３Ｂにおいて、ビデオデータＨＤＶを出力する際の基準である周波数９０〔ｋＨｚ〕による時刻管理情報ＤＴＳが生成される。またこの時刻管理情報ＤＴＳより、ビデオデータＨＤＶがフィールド周波数５９．９４〔Ｈｚ〕の場合には、ＥＴＮ＝ＤＴＳ／３００．３の演算処理により、ビデオデータＨＤＶがフィールド周波数５０〔Ｈｚ〕の場合には、ＥＴＮ＝ＤＴＳ／３６０の演算処理により、磁気テープ２に記録したデータ圧縮されてなるビデオデータを再生する再生基準の時間情報である拡張トラック番号ＥＴＮが生成される。
【０１２１】
ビデオテープレコーダ１では、これらデータ圧縮されたビデオデータ及びオーディオデータ、補助データ、サーチ用データがマルチプレクサ７Ｂで時分割多重化処理されてＥＣＣメモリ７Ｄに保持され、このＥＣＣメモリ７Ｄから所定の順序で出力されることにより、これらのデータがメインセクタのメインデータ、サブコードセクタにそれぞれ割り当てられてインターリーブ処理される。これらＥＣＣメモリ７Ｄの出力データは、続いてＩＤ、誤り訂正符号Ｃ１、Ｃ２が付加され、２４−２５変換部１１で２４−２５変調された後、シンク付加回路１２でシンクが付加され、これによりビデオデータ、オーディオデータ、一部の補助データ、サーチ用データにおいては、メインセクタ構造によるデータ列（図４）に変換される。これに対して補助データにおいては、同様のサブコードセクタ構造によるデータ列（図２１）に変換される。さらにこのようにしてそれぞれメインセクタ構造によるデータ列、サブコードセクタ構造によるデータ列が変換部１３でＮＲＺＩ変調された後、シリアルデータ列に変換されて磁気テープ２に記録される。このときビデオテープレコーダ１においては、これらのデータ列にポストアンブル、プリアンブル等が途中で付加され、これにより図２のフォーマットにより順次磁気テープ２に斜め記録される。またこれらの処理において、磁気テープ２上における１６トラックを単位にして、誤り訂正符号、インターリーブの処理を実行するように、ＥＣＣメモリ７Ｄが制御され、また誤り訂正符号が生成される。これによりビデオテープレコーダ１では、サブコードにＤＴＳ、ＳＴＰ、ＥＴＮ等を割り当てて、対応するビデオデータ、オーディオデータが磁気テープ２に記録される。
【０１２２】
ビデオテープレコーダ１においては、このようにして磁気テープ２に記録するビデオデータが１５ピクチャーによるＧＯＰによりデータ圧縮され、さらにこの１５ピクチャーによる１つのＧＯＰを構成するビデオデータが３ピクチャー単位で区切られてビデオデータによるパックデータ（図３４に示すＰＡＣＫ−Ｖ）が生成される。ビデオテープレコーダ１では、このビデオデータによるパックデータと、対応するオーディオデータ、補助データとによりパックユニットが形成され、このパックユニットを単位にしてビデオデータ、オーディオデータ、補助データが磁気テープ２に記録される（図３１）。また各パックユニットにおいては、オーディオデータに関する補助データ、オーディオデータ、ビデオデータに関する補助データが先頭側に順次まとめられて順次磁気テープ２に記録される。これによりビデオテープレコーダ１では、パックユニット単位で磁気テープ２に記録されたビデオデータ等を処理することができるようになされている。
【０１２３】
ビデオテープレコーダ１においては、このようなパックユニットによる記録とは別に、各インターリーブ単位の先頭トラックの先頭シンクブロックには、補助データのＥＣＣＴＢパケットが割り当てられ、さらには一定位置に８倍速、２４倍速のサーチ用データが記録され、これによりサーチ等の処理の向上が図られるようになされている。
【０１２４】
ビデオテープレコーダ１では、このようにしてパケット単位でビデオデータ、オーディオデータ、補助データを記録するにつき、各パックユニットにおいては、ビデオデータ、オーディオデータ、対応する補助データがパックユニット内で完結するように、メインセクタが構成され、各パックユニットの先頭に、順次、オーディオデータの補助データ、オーディオデータ、ビデオデータの補助データがまとめて配置される。これによりこのビデオテープレコーダ１においては、再生時、簡易に補助データを検出できるようになされ、さらには各パックユニットの先頭に記録された補助データのみを用いて、１つのパックユニットについては、各種の時間情報等を補間演算処理できるようになされている。
【０１２５】
すなわちこのようにパックユニットを単位として対応するデータが完結していない場合、ビデオデータの発生符号量が種々に変化することにより、磁気テープ上におけるこれらデータの対応関係を把握することが困難になる。特に、例えば所望する補助データを再生できない場合に補間演算処理により対応しようとしても、結局、連続するパックユニットの補助データを再生することが必要になる。しかしながらこの実施の形態のように、１つのパックユニットで完結し、さらにパックユニットの先頭に補助データを配置すれば、パックユニット内における補助データの補間演算処理により対応することができ、その分、処理を簡略化することができる。またつなぎ記録においても、記録済の対応する補助データを簡易に参照することができ、またこのような参照基準においても、パックユニット単位であることにより、簡易に検出することができる。
【０１２６】
また編集時にデータを書き戻しする場合、記録済のデータにつなぎ記録する場合でも、必要に応じて編集点以前のものを参照しなくてもよいことになり、その分処理、構成を簡略化することができる。またビデオデータ、オーディオデータ自体についても、パックユニット内で補間演算処理することができ、これによっても処理を簡略化することができる。
【０１２７】
ビデオテープレコーダ１では、このようにして記録される補助データにおいて、メインセクタにおいては、デコード時におけるビデオデータの時刻管理情報ＤＴＳに対応する再生基準の管理情報ＥＴＮ、時間情報であるＴＴＣ、ＲＥＣ  ＴＩＭＥがビデオデータＨＤＶのピクチャーの順序により配置されるのに対し、サブコードセクタの補助データにおいて、再生基準の管理情報であるＥＴＮ、ピクチャータイプの情報が、データ圧縮されてなるビデオデータのピクチャーの順序により配置され、時間情報ＴＴＣ、ＲＥＣ  ＴＩＭＥについては、メインセクタと同一の順序により記録される。
【０１２８】
これによりビデオテープレコーダ１では、再生時におけるデコード等の各処理に必要な補助データが、記録時、対応する部位に配置されて記録するようになされ、これにより再生時、単に再生された対応する補助データに従って各ピクチャー、オーディオデータを処理することにより、ビデオデータ、オーディオデータを再生し、デコードすることができ、その分、再生側の処理、構成を簡略化することができ、これにより全体を効率良く構成することができる。
【０１２９】
またこのように補助データを配置することにより、サブコードとストリームとの相関を簡易に把握できるようになされ、その分、全体構成を簡略化することができる。すなわちパックユニットの先頭のビデオデータの時刻管理情報ＤＴＳと、対応するサブコードの管理情報ＥＴＮとが比例関係であり、これにより対応関係を明確化することができ、さたにはこれによっても参照基準を明確化することができる。
【０１３０】
これに対してサーチ用データに関する補助データについては、検索用データであるテープ位置情報ＡＴＮ、再生基準の管理情報ＥＴＮが、時刻管理情報ＤＴＳ基準によりデコード時におけるビデオデータの時刻管理情報ＤＴＳを基準にして記録され、サーチ用データであるＴＴＣ、ＲＥＣ  ＴＩＭＥ等は、再生出力の時刻管理情報ＰＴＳ基準によりビデオデータＨＤＶの再生出力の時刻管理情報ＰＴＳを基準にして記録される。
【０１３１】
これによりビデオテープレコーダ１では、このようにサーチ用データについても、再生時における処理に対応する基準によりに記録され、これにより再生時、順次再生される表示用データを順次表示するだけで、時系列により所望するシーンを簡易に選択することができ、またこのようにしてシーンを検出して対応する検索用データにより簡易に頭出しすることができ、これにより再生側の構成を簡略化することができ、これにより全体を効率良く構成することができるようになされている。
【０１３２】
因みに、このような基準を切り換えることなく、例えばＰＴＳ基準だけでこれらの情報を記録した場合、サーチ用の画像を生成する際のエンコーダにおいては、煩雑な処理が必要になる。またＩピクチャーのパックユニットにおける補助データをそのまま割り当てることも考えられるが、このようにするとサーチ用データにより形成される画像と、対応する時間情報ＴＴＣ、ＲＥＣ  ＴＩＭＥ／ＤＡＴＥについては、リオーダリングに対応するように補正をすることが必要となり、複雑な演算処理が必要になる場合もある。因みに、桁上げ、ドロップフレームに対応する場合に、演算処理が煩雑になる。
【０１３３】
しかしながらこの実施の形態においては、このような補正等の処理を実行しなくても良く、これにより再生側の処理を簡略化することができる。これによりサーチ用データより所望するシーンを簡易に頭出しすることができる。
（３）実施の形態の効果
以上の構成によれば、検索用データについては、デコード時におけるビデオデータの時刻管理情報を基準にして、表示用データについては、ビデオデータの再生出力の時刻管理情報を基準にして記録することにより、全体を効率良く構成することができる。
【実施例２】
【０１３４】
なお上述の実施の形態においては、ＮＵＬＬデータの記録によりメインストリームのデータを遅延させる場合について述べたが、本発明はこれに限らず、例えば同一のメインデータの繰り返しの記録によりメインストリームのデータを遅延させる場合等、種々の遅延手法に広く適用することができる。
【０１３５】
また上述の実施の形態においては、ＭＰＥＧによりデータ圧縮したビデオデータを記録する場合について述べたが、本発明はこれに限らず、種々の方式によりデータ圧縮したビデオデータを記録する場合に広く適用することができる。
【産業上の利用可能性】
【０１３６】
本発明は、ビデオテープレコーダ及び記録方法に関し、特にＨＤＴＶ（High Definition TeleVision）によるビデオ信号を磁気テープに記録するビデオテープレコーダに適用することができる。
【図面の簡単な説明】
【０１３７】
【図１】本発明の実施の形態に係るビデオテープレコーダにおけるテープフォーマットを示す平面図である。
【図２】図１のテープフォーマットにおけるセクタの配置を示す図表である。
【図３】プリアンブルのパターンを示す図表である。
【図４】メインセクタの構造を示す図表である。
【図５】シンクパターンを示す図表である。
【図６】ＩＤを示す図表である。
【図７】シンクブロックヘッダを示す図表である。
【図８】メインセクタにおける平均的な論理データ配分を示す図である。
【図９】補助データをメインデータに割り当てる場合について、シンクブロック構造を示す図表である。
【図１０】固定長によるパケット構造を示す図表である。
【図１１】可変長によるパケット構造を示す図表である。
【図１２】キーワード番号を示す図表である。
【図１３】可変長によるパケット構造におけるキーワード番号を示す図表である。
【図１４】オーディオフレームパケットを示す図表である。
【図１５】ビデオフレームパケットを示す図表である。
【図１６】サーチモードの説明に供する図表である。
【図１７】サーチ用データの説明に供する図表である。
【図１８】ＥＣＣＴＢパケットを示す図表である。
【図１９】メインデータにサーチ用データを割り当てる場合について、シンクブロック構造を示す図表である。
【図２０】パケットヘッダを示す図表である。
【図２１】サブコードセクタの構造を示す図表である。
【図２２】サブコードセクタのシンクを示す図表である。
【図２３】サブコードセクタのＩＤを示す図表である。
【図２４】サブコードセクタのサブコードデータの内容を示す図表である。
【図２５】サブコードシンクブロック番号０、４、９に係るサブコードデータの構造を示す図表である。
【図２６】フラグの設定を示す図表である。
【図２７】最下位ビットのフラグの設定を示す図表である。
【図２８】拡張トラック番号を割り当ててなるサブコードを示す図表である。
【図２９】タイトルタイムコードを割り当てるサブコードを示す図表である。
【図３０】サーチ用データの配置を示す図表である。
【図３１】メインデータの記録のイメージを示す図表である。
【図３２】メインデータの処理の説明に供する図表である。
【図３３】パックユニットにおけるパッキングの関係を示す図表である。
【図３４】パックユニットに係る一連のデータの関係をまとめた図表である。
【図３５】メインデータとサブコードデータとの関係を示す図表である。
【図３６】パックユニットの記録の説明に供する図表である。
【図３７】記録系の構成を示すブロック図である。
【図３８】図３７の一部を詳細に示す図表である。
【図３９】再生系の構成を示すブロック図である。
【図４０】図３９の一部を詳細に示す図表である。
【符号の説明】
【０１３８】
１……ビデオテープレコーダ、２……磁気テープ、３……映像データ圧縮部、４……サーチデータ発生部、５……音声データ圧縮部、６……補助データ発生部、７……多重化回路、８……制御部、１０……サブコード発生部、１４……磁気ヘッド、２６……サブコード検出部、２７……分離回路、２８……映像データ伸長部、２９……サーチデータ検出部、３０……音声データ伸長部、３１……補助データ検出部
【図１】
2006014358.tif 000003
【図２】
2006014358.tif 000004
【図３】
2006014358.tif 000005
【図４】
2006014358.tif 000006
【図５】
2006014358.tif 000007
【図６】
2006014358.tif 000008
【図７】
2006014358.tif 000009
【図８】
2006014358.tif 000010
【図９】
2006014358.tif 000011
【図１０】
2006014358.tif 000012
【図１１】
2006014358.tif 000013
【図１２】
2006014358.tif 000014
【図１３】
2006014358.tif 000015
【図１４】
2006014358.tif 000016
【図１５】
2006014358.tif 000017
【図１６】
2006014358.tif 000018
【図１７】
2006014358.tif 000019
【図１８】
2006014358.tif 000020
【図１９】
2006014358.tif 000021
【図２０】
2006014358.tif 000022
【図２１】
2006014358.tif 000023
【図２２】
2006014358.tif 000024
【図２３】
2006014358.tif 000025
【図２４】
2006014358.tif 000026
【図２５】
2006014358.tif 000027
【図２６】
2006014358.tif 000028
【図２７】
2006014358.tif 000029
【図２８】
2006014358.tif 000030
【図２９】
2006014358.tif 000031
【図３０】
2006014358.tif 000032
【図３１】
2006014358.tif 000033
【図３２】
2006014358.tif 000034
【図３３】
2006014358.tif 000035
【図３４】
2006014358.tif 000036
【図３５】
2006014358.tif 000037
【図３６】
2006014358.tif 000038
【図３７】
2006014358.tif 000039
【図３８】
2006014358.tif 000040
【図３９】
2006014358.tif 000041
【図４０】
2006014358.tif 000042